(57)【要約】【課題】外来電磁波による雑音発生を防止する目的で、コネクタ基台上に配置されるシールド部材のマイクロホンケースに対する安定した接地経路を確実に確保する。【解決手段】コネクタ基台１１に、その上面１１ａ側からネジ収納穴１２を垂直に横切る縦穴１４を設け、その縦穴１４内に、雌ネジ１５ａを有し出力コネクタ固定用の雄ネジと螺合するナット板１５と、雄ネジが貫通される貫通孔１６ａを有する弾性変形可能な導電布１６とを配置し、雌ネジを回して半径方向外側に移動させて、コネクタ基台１１をマイクロホンケース内に固定するに伴って、縦穴１４内で導電布１６をナット板１５により圧縮し、これによって膨出された一部分をコネクタ基台１１上に配置されているプリント配線板のシールド層に強固に接触させる。【選択図】図３
2011087153.tif 000002
【特許請求の範囲】
【請求項１】
接地ピンおよび信号ピンが貫設された状態で金属製のマイクロホンケース内に嵌合される電気絶縁材からなる円盤状のコネクタ基台と、下面にシールド層を有し上記コネクタ基台の上面側に固定的に配置される回路基板とを含み、上記コネクタ基台の内部には、その周面から半径方向に沿ってネジ収納穴が穿設されており、上記ネジ収納穴内に、取付位置が規制された雌ネジと、上記雌ネジに螺合された雄ネジとが収納されており、上記マイクロホンケースに開けられた上記雄ネジよりも小径の孔から上記雄ネジを回して上記半径方向の外側に移動させ、上記雄ネジのエッジを上記孔の端縁に圧接させることにより、上記コネクタ基台が上記マイクロホンケース内に固定されるマイクロホンの出力コネクタにおいて、
上記コネクタ基台には、その上面側から上記ネジ収納穴を垂直に横切る縦穴が設けられており、上記縦穴内には、上記雌ネジを有し上記雄ネジと螺合するナット板と、上記雄ネジが貫通される貫通孔を有する弾性変形可能な導電部材とが上記導電部材を上記コネクタ基台の中心側として配置され、上記雌ネジを回して上記半径方向外側に移動させて、上記コネクタ基台を上記マイクロホンケース内に固定するに伴って、上記縦穴内で上記導電部材が上記ナット板により圧縮され、膨出された一部分が上記回路基板のシールド層に強固に接触することを特徴とするマイクロホンの出力コネクタ。
【請求項２】
上記導電部材として導電布が用いられることを特徴とする請求項１に記載のマイクロホンの出力コネクタ。
【請求項３】
上記コネクタ基台の上面側には、上記回路基板を覆い裾部分が上記マイクロホンケースの内面と接触するシールドカバーが配置され、上記シールドカバーが上記接地ピンを介して上記シールド層と電気的に接続されていることを特徴とする請求項１または２に記載のマイクロホンの出力コネクタ。
【発明の詳細な説明】
【技術分野】
【０００１】
本発明は、マイクロホン（特にはコンデンサマイクロホン）の出力コネクタに関し、さらに詳しく言えば、携帯電話機等から放射される強力な電磁波のマイクロホン内への侵入を阻止し得る構成を備えたマイクロホンの出力コネクタに関するものである。
【背景技術】
【０００２】
コンデンサマイクロホンは、マイクロホンユニットの出力インピーダンスがきわめて高いため、その出力を低インピーダンスに変換するインピーダンス変換器を備えている。インピーダンス変換器には、通常、ＦＥＴ（電界効果トランジスタ）が用いられている。
【０００３】
多くの場合、コンデンサマイクロホンの電源にはファントム電源が用いられ、マイクロホンユニットからの音声信号は、ファントム電源用の平衡２芯シールドケーブルを介して出力される。
【０００４】
この平衡２芯シールドケーブルを接続するために、マイクロホンケース（手持ち式マイクロホンにおいてはマイクグリップ）の端部には、ＥＩＡＪ−ＲＣ−５２３６「音響機器用ラッチロック式丸形コネクタ」で規定されている３ピンタイプの出力コネクタが装着されている。
【０００５】
すなわち、この出力コネクタは、ＰＢＴ（ポリブタジエンテレフタレート）樹脂等から円盤状に形成されたコネクタ基台に、接地用の１番ピン，信号のホット側の２番ピンおよび信号のコールド側の３番ピンを貫設してなる。
【０００６】
このようにコネクタ基台が合成樹脂材よりなるため、例えば携帯電話機がマイクロホンの近傍で使用された場合、その電磁波（外来電磁波）がコネクタ基台からマイクロホン内部に侵入し、これがインピーダンス変換器によって検波されると、耳障りな雑音が発生することがある。
【０００７】
そこで、電磁波による雑音発生を防止するため、特許文献１には、コネクタ基台の上面と周面とを、信号用の２番ピンおよび３番ピンとは非導通で、接地用の１番ピンとのみ導通しているシールドカバーを被せて、シールドカバーをマイクロホンケースの内面と接触させることが提案されている。
【０００８】
また、特許文献２には、上記特許文献１の構成に加えて、コネクタ基台の上面（シールドカバーで覆われる面）に、銅箔のベタパターンからなるシールド層を含むプリント配線板を配置し、そのシールド層を１番ピンを介してシールドカバーに電気的に接続することが提案されている。
【０００９】
これによれば、シールドカバーが接地として作用するマイクロホンケースと導通しているため、外来電磁波の侵入をほぼ確実に阻止できるが、マイクロホンケースとシールドカバーとの接触部に、皮脂等の塗膜や酸化物層が存在している場合には、その接地経路の電気的インピーダンスが高くなり、外来電磁波に対する耐性が十分ではなくなる、という問題がある。
【先行技術文献】
【特許文献】
【００１０】
【特許文献１】特開２００５−９４５７５号公報
【特許文献２】特開２００５−３１１７５２号公報
【発明の概要】
【発明が解決しようとする課題】
【００１１】
したがって、本発明の課題は、コネクタ基台上に配置されるシールド部材のマイクロホンケースに対する安定した接地経路を確実に確保することにある。
【課題を解決するための手段】
【００１２】
上記課題を解決するため、本発明は、接地ピンおよび信号ピンが貫設された状態で金属製のマイクロホンケース内に嵌合される電気絶縁材からなる円盤状のコネクタ基台と、下面にシールド層を有し上記コネクタ基台の上面側に固定的に配置される回路基板とを含み、上記コネクタ基台の内部には、その周面から半径方向に沿ってネジ収納穴が穿設されており、上記ネジ収納穴内に、取付位置が規制された雌ネジと、上記雌ネジに螺合された雄ネジとが収納されており、上記マイクロホンケースに開けられた上記雄ネジよりも小径の孔から上記雄ネジを回して上記半径方向の外側に移動させ、上記雄ネジのエッジを上記孔の端縁に圧接させることにより、上記コネクタ基台が上記マイクロホンケース内に固定されるマイクロホンの出力コネクタにおいて、上記コネクタ基台には、その上面側から上記ネジ収納穴を垂直に横切る縦穴が設けられており、上記縦穴内には、上記雌ネジを有し上記雄ネジと螺合するナット板と、上記雄ネジが貫通される貫通孔を有する弾性変形可能な導電部材とが上記導電部材を上記コネクタ基台の中心側として配置され、上記雌ネジを回して上記半径方向外側に移動させて、上記コネクタ基台を上記マイクロホンケース内に固定するに伴って、上記縦穴内で上記導電部材が上記ナット板により圧縮され、膨出された一部分が上記回路基板のシールド層に強固に接触することを特徴としている。
【００１３】
本発明において、上記導電部材には導電布が好ましく採用される。
【００１４】
また、上記コネクタ基台の上面側には、上記回路基板を覆い裾部分が上記マイクロホンケースの内面と接触するシールドカバーが配置され、上記シールドカバーが上記接地ピンを介して上記シールド層と電気的に接続されていることが好ましい。
【発明の効果】
【００１５】
本発明によれば、マイクロホンケースから雄ネジ、ナット板および導電部材を介してシールド層に至る安定した接地経路が得られ、外来電磁波に対するシールド性がより一層向上する。
【００１６】
また、コネクタ基台の上面側に、回路基板を覆い裾部分がマイクロホンケースの内面と接触するシールドカバーが配置され、シールドカバーが接地ピンを介してシールド層と電気的に接続されている態様によれば、接地経路が２系統となり、電磁波シールドの信頼性がより高められることになる。
【図面の簡単な説明】
【００１７】
【図１】本発明の実施形態に係る出力コネクタを示す縦断面図。
【図２】図１のＡ−Ａ線断面図。
【図３】上記出力コネクタの要部拡大斜視図。
【図４】上記出力コネクタの固定前の状態（図１の状態）における要部拡大断面図。
【図５】上記出力コネクタを固定した状態を示す図１と同様の縦断面図。
【図６】上記出力コネクタの固定後の状態（図５の状態）における要部拡大断面図。
【発明を実施するための形態】
【００１８】
次に、図面（図１〜図６）を参照して、本発明の実施形態について説明するが、本発明はこれに限定されるものではない。
【００１９】
図１および図２に示すように、この実施形態に係る出力コネクタ１０は、円筒状のマイクロホンケース１内に装着される。出力コネクタ１０は、平衡２芯シールドケーブルを介してファントム電源（ともに図示しない）と接続される。
【００２０】
マイクロホンケース１は、例えば黄銅合金等の金属材からなり、上記平衡２芯シールドケーブルのシールド線と接続されることにより、コンデンサマイクロホンの接地系に含まれる。
【００２１】
出力コネクタ１０は、ＰＢＴ（ポリブタジエンテレフタレート）樹脂などの電気絶縁材からなる円盤状のコネクタ基台１１を備えている。コネクタ基台１１には、接地用の１番ピンＥ，信号のホット側の２番ピンＳＨおよび信号のコールド側の３番ピンＳＣの３本のピンが例えば圧入により貫設されている。
【００２２】
また、コネクタ基台１１には、その周面より中心に向かう半径方向に沿って向けてネジ収納穴１２が穿設されており、ネジ収納穴１２には、固定用の雄ネジ（スクリュウ）１３が収納されている。
【００２３】
マイクロホンケース１には、ネジ収納穴１２と対応する孔２が穿設されている。孔２は図示しないドライバー等の工具を差し込んで雄ネジ１３を回すための孔で、その内径は雄ネジ１３の外径よりも小径である。
【００２４】
この実施形態において、コネクタ基台１１の上面１１ａには、プリント配線板２０が載置されている。図４に示すように、プリント配線板２０の下面（コネクタ基台１１の上面１１ａと対向する面）には、銅箔のベタパターンよりなるシールド層２０ａが形成されている。
【００２５】
図示しないが、プリント配線板２０の上面には、高周波侵入阻止用のコンデンサ素子と、静電気による回路破壊防止用のツェナーダイオード素子とが実装されている（これらの素子の接続については、上記特許文献２参照）。
【００２６】
また、コネクタ基台１１の上面１１ａには、プリント配線板２０を覆うようにしてシールドカバー３０がさらに配置されている。
【００２７】
シールドカバー３０は、信号用の２番ピンＳＨと３番ピンＳＣとは非導通で、接地用の１番ピンＥとのみハンダ付けにて導通している。また、１番ピンＥはプリント配線板２０のシールド層２０ａにも導通している。なお、信号用の２番ピンＳＨおよび３番ピンＳＣと、シールド層２０ａとは非導通である。
【００２８】
シールドカバー３０の周縁には、プリント配線板２０の押さえをかねてコネクタ基台１１の周面の一部分に嵌合する裾部（スカート）３０ａが形成されており、出力コネクタ１０の固定時に裾部３０ａはマイクロホンケース１の内面に強く接触する。
【００２９】
図３を参照して、コネクタ基台１１には、その上面１１ａ側からネジ収納穴１２を垂直に横切る縦穴１４が形成されている。この縦穴１４内には、雄ネジ１３と螺合する雌ネジ１５ａを有する金属製のナット板１５と、雄ネジ１３が貫通される貫通孔１６ａを有する弾性変形可能な導電部材１６とが収納される。
【００３０】
ナット板１５は、雄ネジ１３と連れ周りしない角座金状で、縦穴１４内に没する大きさに形成されていることが好ましい。
【００３１】
また、導電部材１６には、角板状に成形された導電性と弾性とを併せ持つ導電布が好ましく採用される。導電部材１６は、円盤状に成形されてもよい。この種の導電布には、例えば「セーレン社製の品番ＳＵＩ−１０−７０Ｘ」がある。
【００３２】
縦穴１４内での配置は、導電部材１６がコネクタ基台１１の中心側（半径方向内側）で、ナット板１５はコネクタ基台１１の周面側（半径方向外側）である。以下、導電部材を「導電布」ということがある。
【００３３】
この出力コネクタ１０は、次のようにして、マイクロホンケース１内に固定される。まず、縦穴１４内にナット板１５と導電布１６とを収納し、ナット板１５の雌ネジ１５ａに雄ネジ１３を螺合し、雄ネジ１３を例えば時計方向に回してネジ収納穴１２内に没する状態とする。
【００３４】
この実施形態において、雄ネジ１３がネジ収納穴１２内に没した状態では、図４に示すように、導電布１６は無負荷状態でシールド層２０ａと非接触であるが、導電布１６が無負荷状態でも、シールド層２０ａと接触するようにしてもよい。
【００３５】
そして、図１に示すように、出力コネクタ１０をマイクロホンケース１内に嵌合し、ネジ収納穴１２を孔２と対向させ、孔２より図示しないドライバーを差し込んで、今度は雄ネジ１３を反時計方向に回し半径方向外側に移動させて、その頭部側のエッジ１３ａを孔１の内縁に突き当てる。
【００３６】
この状態を図５に示すが、さらに雄ネジ１３を反時計方向に回すことにより、その反作用として、コネクタ基台１１全体が図５において左側に寄せられ、これにより、シールドカバー３０の裾部３０ａがマイクロホンケース１の内面に圧接される。
【００３７】
また、雄ネジ１３のエッジ１３ａが孔２の内縁に突き当てられた状態で、さらに雄ネジ１３を反時計方向に回すと、図６に示すように、相対的にナット板１５がコネクタ基台１１の半径方向内側（図６の左側）に移動する。
【００３８】
これによって、導電布１６が圧縮され、その周縁が縦穴１４の外側に向けて膨出してプリント配線板２０のシールド層２０ａに強く圧着することになる。
【００３９】
このようにして、この実施形態によれば、マイクロホンケース１内に出力コネクタ１０を固定した状態においては、マイクロホンケース１→シールドカバー３０→接地用の１番ピン→シールド層２０ａに至る第１接地経路（アース経路）に加えて、マイクロホンケース１→雄ネジ１３→ナット板１５→導電布１６→シールド層２０ａに至る安定した第２接地経路が確保されるため、携帯電話機等から放射される外来電磁波に対するシールド性をより一層向上させることができる。
【００４０】
なお、上記第２接地経路の信頼性をより高めるには、雄ネジ１３のエッジ１３ａにテーパ（傾斜）を付けて、雄ネジ１３の締め付け時において、そのエッジ１３ａが孔２の内周縁に食い込み、マイクロホンケース１に形成されている酸化皮膜や塗膜等を破壊するようにするとよい。
【符号の説明】
【００４１】
１  マイクロホンケース
２  孔
１０  出力コネクタ
１１  コネクタ基台
１２  ネジ収納穴
１３  固定用の雄ネジ
１４  縦穴
１５  ナット板
１５ａ  雌ネジ
１６  導電部材（導電布）
１６ａ  貫通孔
２０  プリント配線板
２０ａ  シールド層
３０  シールドカバー
３０ａ  裾部
Ｅ  接地用の１番ピン
ＳＨ  信号用のホット側２番ピン
ＳＣ  信号用のコールド側３番ピン
【図１】
2011087153.tif 000003
【図２】
2011087153.tif 000004
【図３】
2011087153.tif 000005
【図４】
2011087153.tif 000006
【図５】
2011087153.tif 000007
【図６】
2011087153.tif 000008